(57)【要約】    【課題】  車両シート上に載置した荷物を、煩雑な作業を伴うことなく簡易迅速に保持することが可能な荷物保持具及び荷物保持方法を提供する。    【解決手段】  車両のシート上に載置された荷物を保持するための車両用荷物保持具において、車両シート表面側に配置されてシート上に載置された荷物を保持する荷物保持部と、前記荷物保持部の両端に連結され、シートの背もたれの背面に配置されて、前記荷物保持部と共に背もたれに対してリング状に取り付けられるベルトとを備え、前記荷物保持部は、その長さ方向並びに幅方向に伸縮自在の部材から構成されていることを特徴とする。【選択図】  図１
2006312390.tif 000002
【特許請求の範囲】
【請求項１】
車両のシート上に載置された荷物を保持するための車両用荷物保持具において、
車両シート表面側に配置されてシート上に載置された荷物を保持する荷物保持部と、
前記荷物保持部の両端に連結され、シートの背もたれの背面に配置されて、前記荷物保持部と共に背もたれに対してリング状に取り付けられるベルトとを備え、
前記荷物保持部は、その長さ方向並びに幅方向に伸縮自在の部材から構成されていることを特徴とする車両用荷物保持具。
【請求項２】
前記ベルトが、その長さ方向に伸縮自在の部材から構成されていることを特徴とする請求項１に記載の車両用荷物保持具。
【請求項３】
前記ベルトが伸縮自在の一本の部材から構成され、この一本のベルトと荷物保持部がリング状に一体化されていることを特徴とする請求項１または請求項２に記載の車両用荷物保持具。
【請求項４】
前記荷物保持部の両端にそれぞれベルトが取り付けられ、各ベルトの先端が留め具によって着脱可能に連結されていることを特徴とする請求項１または請求項２に記載の車両用荷物保持具。
【請求項５】
前記荷物保持部が、その長さ方向並びに幅方向に伸縮自在のネットによって構成されていることを特徴とする請求項１乃至請求項４のいずれか１項に記載の車両用荷物保持具。
【発明の詳細な説明】
【技術分野】
【０００１】
本発明は、車両のシート上に載置した荷物が、走行中の発進、停車、ハンドル操作により荷崩れや座席シートから落下することを防止するための車両用シートの荷物保持具に関するものである。
【背景技術】
【０００２】
荷物を座席シートのクッション上に載置した場合、車両走行中の発進や減速、ハンドル操作あるいは停車等により、荷物が前方又は左右に落下し、あるいは荷崩れを生じることがある。特に、急制御の場合には顕著に表れる。しかしながら、従来にあっては車両内にこれらの荷物を保持するための手段が設置されていなかった。また、そのような手段が設置されている場合としては、特許文献１のように車両シートの中央部に設置されるアームレストの中空ボックス内に荷物固定用ネットを収納することにより、使用時に引出し、シート側縁部の係止部材に係着する構成からなる荷物保持手段があった。
【０００３】
また、車両自体に荷物保持手段が設置されていない場合であっても、特許文献２のように座席シートの左右両側縁部に係止部材を設け、使用時にはネット等からなる帯状荷物保持部の両端部をこれに係着させることで、荷物保持手段を後から取付ける等の手段が知られている。
【特許文献１】特開平１１−２９９５７４号公報
【特許文献２】実開昭６３−１００３４５号公報
【発明の開示】
【発明が解決しようとする課題】
【０００４】
しかしながら、従来のアームレストボックス内に荷物固定用ネットを収納する構成にあっては、アームレストボックス内に小物入れとしての収納空間を十分に確保できなかった。また、使用時には収納されている荷物固定用ネットを引出して、他端を座席シートの側縁部に係着させる必要があり、不使用時にはこの荷物固定用ネットを手作業により再度収納しなければならず、煩雑な作業を伴うものであった。
【０００５】
また、後から座席シートの側縁部に荷物保持手段を取付ける構成にあっては、まず、荷物保持手段を取付ける座席シート自体に、荷物保持手段を係着させるための係止部材を左右両側縁部に設置しなければならない。そして、使用時には、その都度帯状荷物保持部の両端をこの係止部材に係着する必要があった。また、帯状荷物保持部が係着されている状態のままでは、座席シートを座席として使用することが困難となるため、不使用時にはこれを取り外す作業が必要であった。このため、財布や眼鏡、携帯電話器等の簡易な荷物を保持したい場合であっても、その都度取付け作業が必要であり、種々の大きさの荷物を簡易迅速に保持することができなかった。
【０００６】
さらに、上記荷物保持手段では、取り外した帯状荷物保持部を収納するため、車両内に収納スペースを必要とするうえ、座席シート自体に取付けた係止部材は突起状であることが多いことから、乗降時や乗車中にこの突起に被服がひっかかったり、怪我を負う場合もあった。
【０００７】
本発明は、上記のような従来技術の問題点を解決するために提案されたものであり、その目的は、車両シート上に載置した荷物を、煩雑な作業を伴うことなく簡易迅速に保持することが可能な荷物保持具を提供することにある。
【課題を解決するための手段】
【０００８】
上記の目的を達成するために、請求項１に記載の発明は、車両のシート上に載置された荷物を保持するための車両用荷物保持具において、車両シート表面側に配置されてシート上に載置された荷物を保持する荷物保持部と、前記荷物保持部の両端に連結され、シートの背もたれの背面に配置されて、前記荷物保持部と共に背もたれに対してリング状に取り付けられるベルトとを備え、前記荷物保持部は、その長さ方向並びに幅方向に伸縮自在の部材から構成されていることを特徴とする。
【０００９】
以上の態様によれば、特段の係止部材等設置作業を必要とすることなく、車種の如何を問わずに様々な車両に対して本車両用荷物保持具を取り付けることができ、上記荷物保持部の伸縮性をもって座席シートに載置した荷物を被覆して保持することで、容易に荷崩れや荷物が動くことを抑えることができる。また、上記荷物保持部の伸縮性により、様々な大きさの荷物に対応した保持が可能となる。
【００１０】
請求項２に記載の発明は、前記ベルトが、その長さ方向に伸縮自在の部材から構成されていることを特徴とする。
【００１１】
以上の態様によれば、ベルトの伸縮力によって本車両用荷物保持具をシートの背もたれにリング状に取り付けることができるため、上下方向の移動あるいは左右への回動が容易であり、不使用時には本車両用荷物保持具をずり下げることによってシートの座面と背もたれの間のコーナー部に収めることができる。あるいは、左右に１８０度回動させることで上記荷物保持部をシート背もたれの背面に収めることもできる。
【００１２】
これにより、本車両用荷物保持具を使用しない場合でもシートから取り外すことなく座席としてシートを使用することが可能である。また、このように本車両用荷物保持具を取り付けたままで座席を使用しても邪魔にならないことから、荷物保持具としての使用・不使用に関わらず本荷物保持具を常置することができ、必要時には即座に使用することができるため、簡易迅速な荷物保持が可能となる。
【００１３】
請求項３に記載の発明は前記ベルトが伸縮自在の一本の部材から構成され、この一本のベルトと荷物保持部がリング状に一体化されていることを特徴とする。
【００１４】
以上の態様によれば、リング状の本車両用荷物保持具を座席シートの上部から被せて装着させることができるため、取付けが容易であり、また、ベルトが伸縮することにより取外しも容易に行うことができる。このため、煩雑な作業を伴わずに誰でも簡単に着脱が行える。
【００１５】
請求項４に記載の発明は、前記荷物保持部の両端にそれぞれベルトが取り付けられ、各ベルトの先端が留め具によって着脱可能に連結されていることを特徴とする。
【００１６】
以上の態様によれば、ベルトが留め具により分割可能であるため、座席シートの上部から被せなくとも容易に本車両用荷物保持具の取付けを行なうことができる。
【００１７】
請求項５に記載の発明は、前記荷物保持部が、その長さ方向並びに幅方向に伸縮自在のネットによって構成されていることを特徴とする。
【００１８】
以上の態様によれば、ネット状であることにより上記荷物保持部の伸縮が容易となり、荷物の保持を必要としない場合には小さくまとめることができるため着座の際に邪魔にならず、シートの座面と背もたれの間のコーナー部にそのまま縮めて常置することができる。
【発明の効果】
【００１９】
以上説明したように、本発明によれば、助手席等のシート上に載置された荷物を簡易迅速に保持可能であって、不使用時の取外しが不要で、かつ座席使用時に邪魔にならない車両用荷物保持具を提供することができる。
【発明を実施するための最良の形態】
【００２０】
次に、本発明を実施するための最良の形態（以下、実施形態とする）を、図１乃至図５を参照して説明する。
【００２１】
図１及び図２は、本発明の使用状態を示す第１の実施形態を示すもので、座席シート２０上に載置した手荷物３０を、本発明の車両用荷物保持具１０が保持する状態を示す全体斜視図である。また、図３は、本実施の形態における車両用荷物保持具１０全体の構成を示す斜視図であり、図４はこの車両用荷物保持具１０を構成する荷物保持部１１及びベルト１２それぞれの斜視図である。
【００２２】
本実施の形態の車両用荷物保持具１０は、図３及び図４に示すように、伸縮自在の部材で形成されるネット状の荷物保持部１１と、この荷物保持部１１の両端を繋ぐ伸縮自在のバンドからなるベルト１２から構成される。車両用荷物保持具１０を座席シート２０に取付けた場合では、図１及び図２に示すように、荷物保持部１１が座席シート２０のシート座面２１上に配置されるようにシート背もたれ２２の下方に位置するように構成される。
【００２３】
荷物保持部１１は、縦幅２５ｃｍ、横幅３０ｃｍの伸縮自在のメッシュ生地からなる長方形状ネットであることが好ましいが、伸縮性を有する素材であれば他の大きさや、他の素材であっても良い。
【００２４】
また、ベルト１２は、裏面を布で被覆したゴム紐をネット状に編んだ伸縮自在の部材からなり、その両端部は上記荷物保持部１１の両端部にそれぞれ連結させることによって、１つの円形輪郭を有する輪状の車両用荷物保持具を構成する。本実施の形態においては、上記荷物保持部１１及び上記ベルト１２の端部を縫合することにより連結しているが、その連結方法は問わず、留め具でバンドのように連結することも可能である。
【００２５】
図５は、本実施の形態における本発明の取付図であって、不使用時の状態を示すものであり、座席シート２０に取付けた際の全体斜視図である。本実施の形態においては、上記荷物保持部１１の柔軟性及び上記ベルト１２の伸縮力によってシート背もたれ２２の下方位置に当接設置される。
【００２６】
本実施形態によれば、本車両用荷物保持具をシート背もたれ２２の上方から被せて装着させるため、年齢を問わず誰でも容易に取付け可能であり、座席シート２０上に載置した手荷物３０を上記荷物保持部１１で被覆保持することによって荷物の動きや荷崩れを容易に抑えることができる。
【００２７】
また、上記荷物保持部１１が伸縮性を有することから大・中・小を問わず様々な大きさの荷物保持が可能である。例えば、図１に示すような買い物後の商品を詰めた袋等の大荷物や、図２に示すような眼鏡や携帯電話等の小物類であっても荷崩れや座席シート２０からの落下を防止できるため、車両を急制御した場合でも、車両運転手が荷物に気を取られることがなく周囲への安全配慮が可能となる。
【００２８】
また、上記荷物保持部１１及び上記ベルト１２が伸縮性を有する部材から形成されるため、その付勢力により本車両用荷物保持具は常時シート背もたれ２２に当接設置されるが、車両荷物保持具として使用しない場合には、その伸縮性によって容易にシート背もたれ２２の下方部へずり下ろすことができ、座席シート２０に装着した状態のままでも着座する際の邪魔にならない。
【００２９】
そのため、本車両用荷物保持具を取り外すことなく座席シートの使用が可能なうえ、使用に応じたその都度の取付けや取外しという煩雑な作業を要しないため、本車両用荷物保持具を車両内に常置することができ、必要時には即座に荷物の保持が可能である。
【００３０】
また、本車両用荷物保持具をシート背もたれ２２の下方部に下げることでシート座面２１とシート背もたれ２２の中間コーナー部に収められ、あるいは本車両用荷物保持具をシート背もたれ２２の側面方向に１８０度回動させ、座席シート背面部に上記荷物保持部１１を配置させることにより常置できるため、車両内に特段の収納スペースを必要としない。
【００３１】
また、着座時に人と接触する上記荷物保持部１１部分はネット状のメッシュ生地であり、またこの荷物保持部１１と連結するベルト１２はゴム布素材からなることから、乗降時や乗車中に本発明に接触しても止め金、金具等の堅い突起による怪我を負う恐れはなく、安全に使用及び常置することができる。
【００３２】
［他の実施形態］
なお、本発明は前記のような実施形態に限定されるものではなく、次のような他の実施形態も包含する。すなわち、ベルトが伸縮せず、荷物保持部のみが伸縮する場合である。この場合でも、荷物保持部が伸縮することで、シートの背もたれの上方からリング状になった荷物保持部とベルトとを背もたれに装着することができる。
【００３３】
また、荷物保持部の両端にそれぞれベルトが設けられ、各ベルトの端部を留め具や紐などで連結することも可能である。このような構成では、背もたれの両側から各ベルトを背もたれの背後に通してその先端同士を連結することで荷物保持部をシートに取り付けることができ、背もたれの上方より装着するものよりも作業が容易である。
【００３４】
さらに、ベルトに長さ調整用の金具などを設けることもできる。車両のシートの寸法が異なる場合でもベルトの長さ調整により対応が可能となる。また、大きな荷物をシート上に保持する場合も有利である。
【図面の簡単な説明】
【００３５】
【図１】本発明の一実施形態における車両用荷物保持具の使用状態を示す斜視図であり、買い物袋等を保持した状態を示す斜視図。
【図２】図１の実施形態の車両用荷物保持具の使用状態を示す斜視図で、携帯電話、眼鏡等の小物を保持した状態を示す斜視図。
【図３】図１の実施形態における車両用荷物保持具の斜視図。
【図４】図１の実施形態の車両用荷物保持具を構成する荷物保持部及びベルトの斜視図。
【図５】図１の実施形態の車両用荷物保持具を座席シートに取付けた際の斜視図。
【符号の説明】
【００３６】
１０…車両用荷物保持具
１１…荷物保持部
１２…ベルト
２０…座席シート
２１…シート座面
２２…シート背もたれ
３０…荷物
【図１】
2006312390.tif 000003
【図２】
2006312390.tif 000004
【図３】
2006312390.tif 000005
【図４】
2006312390.tif 000006
【図５】
2006312390.tif 000007